(57)【要約】【課題】新たな照明負荷を追加する場合にも既存の照明負荷と併せて一括して調光することができる照明制御システムを提供する。【解決手段】照明制御装置３に接続された第一の照明器具１の照明負荷１０と、リモコン４から送信される無線信号によって調光される第二の照明器具２の照明負荷２０とを照明制御装置３において一括して調光制御する機能を有し且つリモコン４によって第二の照明器具２の照明負荷２０の調光レベルを第一の照明器具１の照明負荷１０の調光レベルとともにシーンに設定する。【選択図】図１
2008084613.tif 000002
【特許請求の範囲】
【請求項１】
照明負荷並びに照明負荷の調光を行なう調光器を備えた一乃至複数の第一の照明器具と、照明負荷並びにリモコンから送信される無線信号によって照明負荷の調光を行なう調光器を備えた一乃至複数の第二の照明器具と、第一の照明器具の調光器と各々電線を介して接続されて各調光器に調光状態を制御するための調光指令を与える調光制御部を備えた照明制御装置とから成る照明制御システムであって、調光制御部は、リモコンから送信される無線信号を受信する受信手段と、第二の照明器具の調光器に与える調光指令を無線信号として送信する送信手段とを備え、第一の照明器具及び第二の照明器具の各照明負荷を予め設定されている調光状態に一括して調光制御する一括調光制御機能を有し、受信手段において受信したリモコンからの無線信号に応じて第二の照明器具の照明負荷の調光状態を設定することを特徴とする照明制御システム。
【請求項２】
前記照明制御装置は、第一の照明器具の各々の照明負荷の調光レベルを変更するための個別操作入力並びに第一の照明器具及び第二の照明器具の各照明負荷を一括して調光制御する一括調光状態に対応する複数の一括調光操作入力を受け付ける入力受付手段、並びに各照明負荷を一括調光制御する動作モード及び各照明負荷の調光状態を設定する設定モードを切り替える入力を受け付けるモード切替手段を有する操作部と、個別操作入力に応じた第一の照明器具の各照明負荷の調光状態及びリモコンから送信される無線信号に応じた第二の照明器具の各照明負荷の調光状態を一括調光状態として格納する記憶部とを備え、調光制御部は、設定モードにおいては個別操作入力及びリモコンから送信される無線信号に応じた各照明負荷の調光状態を記憶部に格納し、動作モードにおいては、選択された一括調光操作入力に対応する一括調光状態を記憶部から読み出して一括して調光制御することを特徴とする請求項１記載の照明制御システム。
【請求項３】
前記無線信号は、電波を媒体とすることを特徴とする請求項１又は２記載の照明制御システム。
【請求項４】
前記照明制御装置は、操作部及び記憶部を有する操作盤と、操作部及び記憶部を除いた少なくとも調光制御部を有する装置本体とから成り、操作盤は、装置本体に着脱自在に取り付けられ、操作盤と装置本体との間を少なくとも無線信号を介して接続する接続手段を備えたことを特徴とする請求項２又は３記載の照明制御システム。
【発明の詳細な説明】
【技術分野】
【０００１】
本発明は、複数の照明負荷の調光状態を一括制御する照明制御システムに関する。
【背景技術】
【０００２】
従来から、複数の照明負荷の調光状態を個別に、或いは一括して制御する照明制御装置が提供されており、例えば特許文献１に開示されているようなものがある。この照明制御装置は、複数の照明負荷を一括して制御するシーンに対応付けられる複数個のシーンスイッチと、各シーンスイッチに対応付けて各照明負荷の制御状態を制御するためのデータを格納するシーン記憶部と、各シーンスイッチの押操作の開始から終了までの時間を計時するタイマ手段と、シーンスイッチの押操作の終了時点でタイマ手段による計時時間に応じて複数の機能のうちの何れかを選択的に実行する機能選択手段とを備え、機能選択手段により選択される機能の１つを各シーンスイッチに対応付けてシーン記憶部に予め格納されているデータを読み出して照明負荷の制御状態を制御する制御機能としているもので、各シーンスイッチの押操作の開始から終了までの時間に応じてシーンの設定や再現などの複数の機能を実現している。
【特許文献１】特開平１０−１１６６８９号公報
【発明の開示】
【発明が解決しようとする課題】
【０００３】
しかしながら、上記従来例では、一括制御に対応する照明負荷が照明制御装置に最初から接続されている既存の照明負荷に限られており、既存の照明負荷以外に新たな照明負荷を追加する場合に、新たな照明負荷を既存の照明負荷と併せて一括して調光することができず、したがって既存の照明負荷と新たな照明負荷とで別々に調光制御を行なう必要があり利便性が悪いという問題があった。
【０００４】
本発明は、上記の点に鑑みて為されたもので、新たな照明負荷を追加する場合にも既存の照明負荷と併せて一括して調光することができる照明制御システムを提供することを目的とする。
【課題を解決するための手段】
【０００５】
請求項１の発明は、上記目的を達成するために、照明負荷並びに照明負荷の調光を行なう調光器を備えた一乃至複数の第一の照明器具と、照明負荷並びにリモコンから送信される無線信号によって照明負荷の調光を行なう調光器を備えた一乃至複数の第二の照明器具と、第一の照明器具の調光器と各々電線を介して接続されて各調光器に調光状態を制御するための調光指令を与える調光制御部を備えた照明制御装置とから成る照明制御システムであって、調光制御部は、リモコンから送信される無線信号を受信する受信手段と、第二の照明器具の調光器に与える調光指令を無線信号として送信する送信手段とを備え、第一の照明器具及び第二の照明器具の各照明負荷を予め設定されている調光状態に一括して調光制御する一括調光制御機能を有し、受信手段において受信したリモコンからの無線信号に応じて第二の照明器具の照明負荷の調光状態を設定することを特徴とする。
【０００６】
請求項２の発明は、請求項１の発明において、照明制御装置は、第一の照明器具の各々の照明負荷の調光レベルを変更するための個別操作入力並びに第一の照明器具及び第二の照明器具の各照明負荷を一括して調光制御する一括調光状態に対応する複数の一括調光操作入力を受け付ける入力受付手段、並びに各照明負荷を一括調光制御する動作モード及び各照明負荷の調光状態を設定する設定モードを切り替える入力を受け付けるモード切替手段を有する操作部と、個別操作入力に応じた第一の照明器具の各照明負荷の調光状態及びリモコンから送信される無線信号に応じた第二の照明器具の各照明負荷の調光状態を一括調光状態として格納する記憶部とを備え、調光制御部は、設定モードにおいては個別操作入力及びリモコンから送信される無線信号に応じた各照明負荷の調光状態を記憶部に格納し、動作モードにおいては、選択された一括調光操作入力に対応する一括調光状態を記憶部から読み出して一括して調光制御することを特徴とする。
【０００７】
請求項３の発明は、請求項２の発明において、無線信号は、電波を媒体とすることを特徴とする。
【０００８】
請求項４の発明は、請求項２又は３の発明において、照明制御装置は、操作部及び記憶部を有する操作盤と、操作部及び記憶部を除いた少なくとも調光制御部を有する装置本体とから成り、操作盤は、装置本体に着脱自在に取り付けられ、操作盤と装置本体との間を少なくとも無線信号を介して接続する接続手段を備えたことを特徴とする。
【発明の効果】
【０００９】
請求項１，２の発明によれば、照明制御装置に電線を介して接続された第一の照明器具の照明負荷とリモコンから送信される無線信号によって調光される第二の照明器具の各照明負荷とを一括して調光制御する機能を有し且つ受信手段において受信したリモコンからの無線信号に応じて第二の照明器具の照明負荷の調光状態を設定することができるので、照明制御装置に接続された既存の照明負荷とリモコンから送信される無線信号によって調光される新たな照明負荷とを一括して調光制御することができ、したがって利便性が向上する。
【００１０】
請求項３の発明によれば、指向性の小さい電波を媒体とすることで全方位に無線信号を送信できるので、無線信号の送出方向と照明器具の受信方向とが不整合であることに基づく調光制御不良を回避することができる。
【００１１】
請求項４の発明によれば、操作盤を装置本体から取り外して遠隔操作する照明制御装置において仕様を変更する際に、操作盤の仕様のみを変更して装置本体の仕様を変更することなく照明制御装置を構成することができるので、設置コストを低減することができる。
【発明を実施するための最良の形態】
【００１２】
以下、本発明の実施形態について図面を用いて説明する。本実施形態は、図１に示すように、複数（図示では４つ）の第一の照明器具１と、第一の照明器具１と各々通信線Ｌを介して接続された照明制御装置３と、リモコン４と、リモコン４から送信される無線信号によって調光される第二の照明器具２とから成る。
【００１３】
第一の照明器具１は、図２（ａ）に示すように、蛍光灯から成る照明負荷１０と、照明負荷１０の調光を行なう調光器１１とから成る。調光器１１は、例えば電子安定器にＰＷＭ（パルス幅変調）の弱電信号を与えて、このＰＷＭ信号のオンデューティに応じて負荷電流を変化させて調光するＰＷＭ制御式のインバータ回路から構成され、後述する制御手段５１から通信線Ｌを介して与えられる調光指令に応じて照明負荷１０の調光を行なう。尚、このような調光器１０は周知であるので、ここでは詳細な説明を省略する。また、本実施形態では照明負荷１０を蛍光灯のみで構成しているが、照明負荷１０としては白熱灯を用いることもでき、この場合は、例えば半導体スイッチ（サイリスタやトライアック）を用いた位相制御により負荷電力を直接制御する位相制御式の調光器（図示せず）を照明制御装置３に内蔵し、該調光器と第一の照明器具１の照明負荷１０とを通信線Ｌの代わりに電力線（図示せず）で接続すればよい。尚、このような位相制御式の回路も周知であるので、ここでは詳細な説明を省略する。また、照明負荷１０は蛍光灯及び白熱灯を混在させて構成されても構わない。
【００１４】
第二の照明器具２は、図２（ｂ）に示すように、蛍光灯から成る照明負荷２０と、照明負荷２０の調光を行なう調光器２１とから成る。これら照明負荷２０及び調光器２１の構成は、何れも第一の照明器具１の照明負荷１０及び調光器１１の構成と同様である。また、リモコン４から送信される無線信号を受信するリモコン受信部Ａ４と、受信した無線信号を復調する復調回路２２とを備えており、リモコン４からの無線信号又は後述する照明制御装置３の無線送信部Ａ２からの無線信号を復調し、復調された調光指令に応じて調光器２１において照明負荷２０の調光を行なう。尚、第一の照明器具１及び第二の照明器具２の調光器１１，２１、照明負荷１０，２０には何れも外部の商用電源（図示せず）から電力が供給されている。
【００１５】
リモコン４は、例えば押釦スイッチ（図示せず）で構成されて手操作によって制御の指示が入力されるリモコン操作部（図示せず）と、リモコン操作部に加えられた操作に応じて第二の照明器具２の照明負荷２０の調光レベルを変更するための調光指令を生成する調光指令生成部（図示せず）と、調光指令部が生成した調光指令を変調して無線信号として照明制御装置３及び第二の照明器具２に送信するリモコン送信部Ａ３とを備える（図１参照）。
【００１６】
照明制御装置３は、図３に示すように、商用電源ＡＣと接続されて商用電源ＡＣから供給される交流電圧を直流電圧に変換して各部に動作電圧を供給する電源部６と、第一の照明器具１の各調光器１１及び第二の照明器具２の調光器２１に調光レベルを変更するための調光指令を与える調光制御部５と、第一の照明器具１の各照明負荷１０の調光レベルを変更するための操作つまみＣ１〜Ｃ４並びに第一の照明器具１及び第二の照明器具２の各照明負荷１０，２０を一括して調光制御する一括調光制御状態（以下、「シーン」と呼ぶ）を選択するためのシーンスイッチＳ１〜Ｓ４を有する操作部７と、シーンスイッチＳ１〜Ｓ４に各々対応するシーンのデータを格納する記憶部８とを備える。
【００１７】
電源部６は、例えば商用電源ＡＣからの交流電圧を整流するダイオードブリッジから成る整流回路と、整流された脈流電圧を平滑化する平滑コンデンサを備えた平滑回路とから構成され、照明制御装置３の各部に動作電圧を供給する。尚、安定した直流電圧を供給するために、例えばＩＰＤやレギュレータＩＣ等で構成しても構わない。
【００１８】
操作部７では、操作つまみＣ１〜Ｃ４をスライドさせることで操作入力を受け付け、スライド位置に応じた操作信号を制御手段５１に出力し、該操作信号を制御手段５１において処理することで対応する第一の照明器具の各照明負荷１０の調光レベルを変更することができる。また、照明制御装置３の電源をオン／オフする電源スイッチＰと、シーンを設定する設定モード及び設定されたシーンを再現する動作モードを切り替えるモードスイッチＭとを備える。電源スイッチＰはプッシュオン・プッシュオフ型のスイッチであって、スイッチを押し込むと電源がオン、再度押し込んで押し込み状態を解除すると電源がオフとなる。モードスイッチＭは、スイッチを押す毎に設定モードと動作モードとを交互に切り替えるようになっている。
【００１９】
調光制御部５は、図３に示すように、リモコン４から送信される無線信号を無線受信部Ａ１で受信して復調する受信手段５０と、第一の照明器具１及び第二の照明器具２の各調光器１１，２１に調光指令を与える制御手段５１と、制御手段５１から与えられる調光指令を変調して無線送信部Ａ２を介して第二の照明器具２に送信する送信手段５２とから成る。
【００２０】
記憶部８は、例えばＥＥＰＲＯＭやフラッシュメモリのような不揮発性記憶素子から成り、設定モードにおいては選択されたシーンスイッチＳ１〜Ｓ４に対応するシーンのデータが制御手段５１によって格納され、動作モードにおいては選択された何れかのシーンスイッチＳ１〜Ｓ４に対応するシーンのデータが制御手段５１によって読み出される。
【００２１】
制御手段５１はマイコンから成り、設定モードにおいては、操作部７における操作つまみＣ１〜Ｃ４のスライド位置に応じて第一の照明器具１の各調光器１１に調光指令を与えるとともに、該調光指令のデータを一時的に記憶する。また、リモコン４から送信される無線信号、即ち第二の照明器具２の照明負荷２０の調光レベルを変更する調光指令を含んだ無線信号を受信手段５０で調光指令に復調した後、制御手段５１は該調光指令のデータを第一の照明器具１の調光器１１に与える調光指令のデータとともに一時的に記憶する。これら一時的に記憶された調光指令のデータは、操作部７におけるシーンスイッチＳ１〜Ｓ４の何れかを押操作すると、操作部７が操作入力を受け付けて操作信号を制御手段５１に出力し、該操作信号に応じて制御手段５１が記憶部８における押操作されたシーンスイッチＳ１〜Ｓ４の何れかに対応する記憶領域に格納する。動作モードにおいては、シーンスイッチＳ１〜Ｓ４の何れかが押操作されると、操作部７が操作入力を受け付けて操作信号を制御手段５１に出力し、制御手段５１は該操作信号に応じて対応する調光指令のデータを記憶部８から読み出し、通信線Ｌを介して第一の照明器具１の各調光器１１に順次調光指令を与えるとともに、第二の照明器具２の調光器２１に与える調光指令を送信手段５２において変調して無線送信部Ａ２から送信することで第一の照明器具１の各照明負荷１０と第二の照明器具２の照明負荷２０とを一括して調光制御する。
【００２２】
以下、シーンスイッチＳ１を用いた場合の本実施形態のシーン設定及び再現の動作説明をする。シーンを設定する場合には、まずモードスイッチＭを押すことで設定モードに切り替え、操作つまみＣ１〜Ｃ４をスライドさせて第一の照明器具１の各照明負荷１０を所望の調光レベルに変更する（ここでは、操作つまみＣ１〜Ｃ４に対応する各照明負荷の調光レベルを、全点灯を１００％としてそれぞれ５０％、３０％、４０％、８０％に設定したものとする）。そして、リモコン４を照明制御装置に向けて操作することで第二の照明器具２の照明負荷２０を所望の調光レベル（ここでは６０％とする）に変更した後にシーンスイッチＳ１を押操作すると、制御手段５１は現時点での第一の照明器具１及び第二の照明器具２の各照明負荷１０，２０の調光レベルのデータを記憶部８におけるシーンスイッチＳ１に対応する記憶領域に格納する。
【００２３】
シーンを再現するには、モードスイッチＭを再度押すことで動作モードに切り替えた後、設定モードにおいて予めシーンが設定されたシーンスイッチＳ１を押操作すると、制御手段５１が記憶部８におけるシーンスイッチＳ１に対応する記憶領域から第一の照明器具１及び第二の照明器具２の各照明負荷１０，２０の調光レベルのデータを読み出し、極めて短い時間で各照明器具１，２に調光指令を順次与えることで各照明負荷１０，２０の調光レベルがシーンスイッチＳ１で設定された調光レベル、即ち照明負荷１０，２０の順に５０％、３０％、４０％、８０％、６０％の調光レベルにほぼ同時に一括して変更され、シーンスイッチＳ１に対応するシーンが再現される。
【００２４】
また、シーン再現中に電源をオフにすると全ての照明負荷１０，２０が消灯するようになっており、再度電源をオンにする場合には、電源をオフにする直前のシーンを再現するようになっている。尚、再度電源をオンにする際に、シーンを再現するのではなく、電源をオンにした時点での操作つまみＣ１〜Ｃ４のスライド位置に応じた調光を行なうようにしても構わない。
【００２５】
上述のように、照明制御装置３に接続された第一の照明器具１の照明負荷１０と、リモコン４から送信される無線信号によって調光される第二の照明器具２の照明負荷２０とを照明制御装置３において一括して調光制御する機能を有し且つリモコン４によって第二の照明器具２の照明負荷２０の調光レベルを第一の照明器具１の照明負荷１０の調光レベルとともにシーンに設定することができるので、照明制御装置３に予め接続されている既存の照明負荷の他に新たな照明負荷を追加した場合にも、既存の照明負荷及び新たな照明負荷の何れも照明制御装置３で一括して調光制御することができ、したがって利便性を向上することができる。
【００２６】
尚、本実施形態に用いる無線信号は電波を媒体とすることが望ましい。赤外線等の光信号と比較して指向性の小さい電波を媒体とすることで、リモコン４の無線信号送信部を照明制御装置３の受信部又は第二の照明器具２に正確に向けなくても調光及びシーン設定を行なうことができ、また無線信号の送信方向と受信部の受信方向との不整合による制御不良を回避することができる。
【００２７】
ところで、本実施形態の照明制御装置３は、図４に示すように、操作部７及び記憶部８を有する操作盤３０と、調光制御部５及び電源部６を有する装置本体３１とから構成し、操作盤３０を装置本体３１に着脱自在に取り付けられるようにしても構わない。この場合、操作盤３０に無線信号を送受信するための送受信手段Ａ５を設け、操作盤３０と装置本体３１との間で無線信号を介して通信することで操作盤３０を装置本体３１から取り外した状態でも上記のシーンの設定及び再現の操作が行なうことができる。したがって、照明制御装置３の仕様を変更する際に、操作盤３０の仕様のみを変更して装置本体３１の仕様を変更することなく照明制御装置３を構成することができるので、設置コストを低減することができる。また、操作盤３０及び装置本体３１に各々電気的接点（図示せず）を設けることで、操作盤３０を装置本体３１に取り付けた状態では前記各接点を接触させることで操作できるようにしても構わない。
【図面の簡単な説明】
【００２８】
【図１】本発明の実施形態の照明制御システムの全体図である。
【図２】同上の照明器具の内部構成を示すブロック図で、（ａ）は第一の照明器具を示す図で、（ｂ）は第二の照明器具を示す図である。
【図３】同上の照明制御装置の内部構成を示すブロック図である。
【図４】同上の操作盤を外した状態を示す全体図である。
【符号の説明】
【００２９】
１  第一の照明器具
２  第二の照明器具
３  照明制御装置
４  リモコン
Ｌ  通信線
【図１】
2008084613.tif 000003
【図２】
2008084613.tif 000004
【図３】
2008084613.tif 000005
【図４】
2008084613.tif 000006